(57)【特許請求の範囲】
【請求項１】
物体側から像側へ順に、変倍のためには移動しない正の屈折力を有する第１レンズ群と、変倍に際して移動する負の屈折力を有する第２レンズ群と、変倍に際して移動する正の屈折力を有する少なくとも１つの変倍レンズ群、変倍のためには移動しない正の屈折力を有する最終レンズ群を有するズームレンズであって、
前記第２レンズ群と前記最終レンズ群との間に配された絞りを有し、
前記最終レンズ群は正レンズＬｐｘを含み、該正レンズＬｐｘの部分分散比と焦点距離をそれぞれθｘとｆｘとし、前記最終レンズ群の焦点距離をｆＲとし、前記正レンズＬｐｘの物体側の面から前記絞りまでの光軸上の距離をＤｘとし、前記最終レンズ群の最も物体側の面から最も像側の面までの光軸上の距離をＤＲとして、
０．６２１＜θｘ＜０．７１１
０．８＜ｆｘ／ｆＲ＜２．１
０．８５＜Ｄｘ／ＤＲ＜０．９９
なる条件式を満足し、
前記最終レンズ群に含まれる全ての正レンズの部分分散比の平均値とアッべ数の平均値をそれぞれθｐとνｐとし、前記最終レンズ群に含まれる全ての負レンズの部分分散比の平均値とアッべ数の平均値をそれぞれθｎとνｎとして、
｜（θｐ−θｎ）／（νｎ−νｐ）｜＜１．５×１０−３
なる条件式を満足することを特徴とするズームレンズ。
なお、アッベ数ν、部分分散比θは、フラウンホーファー線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとしたとき、
ν＝（Ｎｄ−１）／（ＮＦ−ＮＣ）
θ＝（Ｎｇ−ＮＦ）／（ＮＦ−ＮＣ）
で表されるものとする。
【請求項２】
物体側より像側へ順に、前記第１レンズ群、前記第２レンズ群、前記少なくとも１つの変倍レンズ群としての１つの変倍レンズ群、前記最終レンズ群からなることを特徴とする請求項１に記載のズームレンズ。
【請求項３】
物体側より像側へ順に、前記第１レンズ群、前記第２レンズ群、前記少なくとも１つの変倍レンズ群としての２つの変倍レンズ群、前記最終レンズ群からなることを特徴とする請求項１に記載のズームレンズ。
【請求項４】
前記絞りは、前記少なくとも１つの変倍レンズ群と前記最終レンズ群との間に配されていることを特徴とする請求項１乃至３のいずれか１項に記載のズームレンズ。
【請求項５】
前記最終レンズ群は負レンズＬｎｙを含み、該負レンズＬｎｙの光学材料の屈折率と部分分散比をそれぞれｎｙとθｙ、該負レンズＬｎｙの物体側の面から前記絞りまでの光軸上の距離をＤｙ、前記最終レンズ群の最も物体側の面から最も像側の面までの光軸上の距離をＤＲとして、
１.８５＜ｎｙ＜２．２０
０．５６０＜θｙ＜０．６２０
０．７５＜Ｄｙ／ＤＲ＜０．９８
なる条件式を満足することを特徴とする請求項１乃至４のいずれか１項に記載のズームレンズ。
【請求項６】
前記最終レンズ群は負レンズＬｎｚを含み、該負レンズＬｎｚの光学材料の部分分散比をθｚ、該負レンズＬｎｚの焦点距離をｆｚ、該負レンズＬｎｚの物体側の面から前記絞りまでの光軸上の距離をＤｚ、前記最終レンズ群の最も物体側の面から最も像側の面までの光軸上の距離をＤＲとしたとき、
−１．７４４×１０−３×νｚ＋０．６５３６＜θｚ
＜−１．７４４×１０−３×νｚ＋０．７１７７
−３．５＜ｆｚ／ｆＲ＜−０．４
｜Ｄｚ／ＤＲ｜＜０．７
なる条件式を満足することを特徴とする請求項１乃至５のいずれか１項に記載のズームレンズ。
【請求項７】
前記第２レンズ群に含まれる全ての正レンズの部分分散比の平均値とアッべ数の平均値をそれぞれθ２ｐとν２ｐ、前記第２レンズ群に含まれる全ての負レンズの部分分散比の平均値とアッべ数の平均値をそれぞれθ２ｎとν２ｎとしたとき、
１．２×１０−３＜（θ２ｐ−θ２ｎ）／（ν２ｎ−ν２ｐ）＜６．０×１０−３
なる条件式を満足することを特徴とする請求項１乃至６のいずれか１項に記載のズームレンズ。
【請求項８】
請求項１乃至７のいずれか１項に記載のズームレンズと、該ズームレンズによって形成された光学像を受光する撮像素子とを有することを特徴とする撮像装置。
【発明の詳細な説明】
【技術分野】
【０００１】
本発明は、ズームレンズ及びそれを有する撮像装置に関し、特に放送用テレビカメラ、映画用カメラ、デジタルスチルカメラ、銀塩写真用カメラ等に好適なものである。
【背景技術】
【０００２】
近年、テレビカメラや映画用カメラ、写真用カメラ等の撮像装置には、広画角、高ズーム比かつ高い光学性能を有したズームレンズが要望されている。特に、プロフェッショナルの動画撮影システムとしてのテレビ、映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一で、色収差の少ないことが要求されている。
【０００３】
広画角、高ズーム比のズームレンズとして、物体側から順に正の屈折力の第１レンズ群、負の屈折力の第２レンズ群、正の屈折力の第（Ｒ−１）レンズ群、正の屈折力の第Ｒレンズ群を配置したポジティブリード型のズームレンズが知られている。例えば、特許文献１では、変倍比８程度、広角端の半画角４４°程度のズームレンズが開示されている。また、特許文献２では、変倍比１１程度、広角端の半画角３８°程度のズームレンズが開示されている。
【先行技術文献】
【特許文献】
【０００４】
【特許文献１】特開２０１５−１７６１１８号公報
【特許文献２】特開２０１３−２２１９９９号公報
【発明の概要】
【発明が解決しようとする課題】
【０００５】
前述した特許文献には、異常分散性を有する光学材料を用いて色収差を良好に補正し、高い光学性能を有した４群ズームレンズが記載されている。高いズーム倍率を有するズームレンズにおいて高い光学性能を維持するには基準波長に加え色収差のズーム変動を良好に補正することが重要であり、特に広角端における倍率色収差および望遠端における軸上色収差を良好に補正することが重要である。
【０００６】
例えば、広角端において倍率色収差の２次スペクトルを補正する為には、開口絞りよりも像面側で正の屈折力を有するレンズ（以下、正レンズとも言う）に異常分散性を有する材料を使用することが有効である。しかしながら比較的Ｆナンバーの小さい（明るい）光学系である場合、少なからず軸上光線もそのレンズによる影響を受けてしまうため、軸上色収差が過補正になりやすい。例えば異常分散特性を有する光学材料を用いて広角端の倍率色収差を補正した場合、軸上色収差もズーム全域で一定のオフセット補正が掛かったような影響となる。前述のような４群ズームレンズにおいて、倍率色収差が目立ちやすい広角側で良好な補正を達成しつつ、全ズーム範囲にわたり高い光学性能を得るには、特にズーミングに際して不動の第Ｒレンズ群の色収差補正バランスを適切に設定することが重要となる。
【０００７】
しかしながら、特許文献１に開示されている技術を用いたズームレンズは倍率が低めの想定であり、更なる高倍率化を図る場合に倍率色収差と軸上色収差をズーム全域にわたり良好に補正するのが困難になってくる。また、特許文献２に開示されているズームレンズは、異常分散性を有する材料からなる正のパワーのレンズが絞り付近に配置されており、広角端の倍率色収差補正に最適な配置とはなっていない。
【０００８】
本発明は、例えば、広画角、高ズーム比、広角端における倍率色収差の補正、および望遠端における軸上色収差の補正の点で有利なズームレンズの提供を目的とする。
【課題を解決するための手段】
【０００９】
上記目的を達成するために、本発明のズームレンズは、物体側から像側へ順に、変倍のためには移動しない正の屈折力を有する第１レンズ群と、変倍に際して移動する負の屈折力を有する第２レンズ群と、変倍に際して移動する正の屈折力を有する変倍レンズ群、変倍のためには移動しない正の屈折力を有する少なくとも１つの最終レンズ群を有し、前記第２レンズ群と前記最終レンズ群との間に配された絞りを有し、前記最終レンズ群は正レンズＬｐｘを含み、該正レンズＬｐｘの部分分散比と焦点距離をそれぞれθｘとｆｘとし、前記最終レンズ群の焦点距離をｆＲとし、前記正レンズＬｐｘの物体側の面から前記絞りまでの光軸上の距離をＤｘとし、前記最終レンズ群の最も物体側の面から最も像側の面までの光軸上の距離をＤＲとして、
０．６２１＜θｘ＜０．７１１
０．８＜ｆｘ／ｆＲ＜２．１
０．８５＜Ｄｘ／ＤＲ＜０．９９
なる条件式を満足し、前記最終レンズ群に含まれる全ての正レンズの部分分散比の平均値とアッべ数の平均値をそれぞれθｐとνｐとし、前記最終レンズ群に含まれる全ての負レンズの部分分散比の平均値とアッべ数の平均値をそれぞれθｎとνｎとして、
｜（θｐ−θｎ）／（νｎ−νｐ）｜＜１．５×１０-3
なる条件式を満足することを特徴とする。なお、アッベ数ν、部分分散比θは、フラウンホーファー線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとしたとき、
ν＝（Ｎｄ−１）／（ＮＦ−ＮＣ）
θ＝（Ｎｇ−ＮＦ）／（ＮＦ−ＮＣ）
で表されるものとする。
【発明の効果】
【００１０】
本発明によれば、例えば、広画角、高ズーム比、広角端における倍率色収差の補正、および望遠端における軸上色収差の補正の点で有利なズームレンズの提供ができる。
【図面の簡単な説明】
【００１１】
【図１】数値実施例１の広角端において無限遠合焦時のレンズ断面図
【図２】数値実施例１の広角端（ａ）、ズーム中間（ｂ）、望遠端（ｃ）で無限遠合焦時の収差図
【図３】数値実施例２の広角端において無限遠合焦時のレンズ断面図
【図４】数値実施例２の広角端（ａ）、ズーム中間（ｂ）、望遠端（ｃ）で無限遠合焦時の収差図
【図５】数値実施例３の広角端において無限遠合焦時のレンズ断面図
【図６】数値実施例３の広角端（ａ）、ズーム中間（ｂ）、望遠端（ｃ）で無限遠合焦時の収差図
【図７】数値実施例４の広角端において無限遠合焦時のレンズ断面図
【図８】数値実施例４の広角端（ａ）、ズーム中間（ｂ）、望遠端（ｃ）で無限遠合焦時の収差図
【図９】数値実施例５の広角端において無限遠合焦時のレンズ断面図
【図１０】数値実施例５の広角端（ａ）、ズーム中間（ｂ）、望遠端（ｃ）で無限遠合焦時の収差図
【図１１】数値実施例６の広角端において無限遠合焦時のレンズ断面図
【図１２】数値実施例６の広角端（ａ）、ズーム中間（ｂ）、望遠端（ｃ）で無限遠合焦時の収差図
【図１３】硝材のアッベ数と部分分散比の分布図
【図１４】本発明の撮像装置の要部概略図
【発明を実施するための形態】
【００１２】
以下に、本発明の好ましい実施の形態を、添付の図面に基づいて詳細に説明する。
まず、本発明のズームレンズの特徴について、各条件式に沿って説明する。本発明のズームレンズは、広画角、高ズーム比で、特に広角端の倍率色収差とズーム全域の軸上色収差を良好に補正するために、後述する第Ｒレンズ群（最終レンズ群）に含まれる正レンズのパワーや部分分散比、及び、第Ｒレンズ群全体の色収差補正バランスを適切に規定している。
【００１３】
本発明のズームレンズは、物体側から像側へ順に、正の屈折力を有する第１レンズ群、負の屈折力を有する第２レンズ群、正の屈折力を有する第（Ｒ−１）レンズ群（変倍レンズ群）、正の屈折力を有する第Ｒレンズ群（最終レンズ群）を有している。本発明のズームレンズは４群または５群からなるズームレンズを想定している。４群ズームレンズの場合は、（Ｒ−１）群は第３レンズ群を、Ｒ群は第４レンズ群を指す。５群ズームレンズの場合は、（Ｒ−１）群は第４レンズ群を、Ｒ群は第５レンズ群を指す。
【００１４】
第１レンズ群と第Ｒレンズ群は変倍のためには移動せず、第２レンズ群と第（Ｒ−１）レンズ群は変倍に際して移動する。第Ｒレンズ群に配置された正レンズの部分分散比と焦点距離をそれぞれθｘとｆｘ、第Ｒレンズ群の焦点距離をｆＲ、第Ｒレンズ群に含まれる全ての正レンズの部分分散比の平均値とアッべ数の平均値をそれぞれθｐとνｐ、第Ｒレンズ群に含まれる全ての負レンズの部分分散比の平均値とアッべ数の平均値をそれぞれθｎとνｎとしたとき、
０．６２１＜θｘ＜０．７１１  ・・・（１） 
０．８＜ｆｘ／ｆ４＜２．１  ・・・（２）
｜（θｐ−θｎ）／（νｎ−νｐ）｜＜１．５×１０-3  ・・・（３）
を満たしている。
【００１５】
ここで、本実施例で用いている光学素子（レンズ）の材料の部分分散比θｇＦとアッベ数νｄは次のとおりである。フラウンホーファー線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。アッベ数νｄ、ｇ線とＦ線に関する部分分散比θｇＦは（ａ）式、（ｂ）式のとおりである。
νｄ＝（Ｎｄ−１）／（ＮＦ−ＮＣ）  ・・・（ａ）
θｇＦ＝（Ｎｇ−ＮＦ）／（ＮＦ−ＮＣ）  ・・・（ｂ）
【００１６】
本発明で用いる第Ｒレンズ群に含まれる正レンズのアッべ数νｘや平均アッべ数νｐ、νｎなどは、それぞれ対象となるレンズの材料特性に関して（ａ）式で算出した値を採用する。また、第Ｒレンズ群に含まれる正レンズの部分分散比θｘや平均部分分散比θｐ、θｎなどにはそれぞれ対象となるレンズの材料特性に関して（ｂ）式で算出した値を採用する。
【００１７】
本発明のズームレンズは、正の屈折力を有する第１レンズ群、変倍に際して移動する負の屈折力を有する第２レンズ群を配置したポジティブリード型のズームレンズである。正の屈折力を有する第１レンズ群は、物体側から像側の順に、負の屈折力を有する第１１レンズ群、正の屈折力を有する第１２レンズ群、正の屈折力を有する第１３レンズ群のようなサブユニット構成を有していても良い。上述の構成とすることにより、特に広画角でフォーカスによる収差変動の抑制に優れた第１レンズ群を得ることが出来る。屈折力が負の第２レンズ群及び正の第（Ｒ−１）レンズ群が広角端から望遠端への変倍に際して間隔が狭まるように移動し、高ズーム比を達成し易いズームタイプを採用している。本発明のズームレンズでは絞りは第Ｒレンズ群の物体側に配置しているが、第２レンズ群より像側で第Ｒレンズ群より物体側に配置するのが好ましい。また第Ｒレンズ群内に含んでいても良い。第Ｒレンズ群は正の屈折力を有し、変倍のためには移動しない。第Ｒレンズ群は後述するようなサブユニット構成を想定しても良い。第（Ｒ−１）レンズ群からの収斂光束を受けて発散光束として射出する負の屈折力を有する物体側サブレンズ群を有しても良い。また、異なるレンズ群を光路中に挿抜してレンズ全系の焦点距離を変換する焦点距離変換光学系を有しても良い。また、その変換光学系の像側に配置されて光束を結像へと導く正の屈折力を有する像側サブレンズ群などを有しても良い。上述のような構成で第Ｒレンズ群を構成すると、レンズ群の一部のレンズ構成を挿抜するだけで、更なる長焦点距離化の要望に対応することが可能である。
【００１８】
（１）式は、第Ｒレンズ群に含まれる正レンズの部分分散比を規定している。以下、この異常分散性を有する正レンズを「正レンズＬｐｘ」と表現する。（１）式を満たすことで、ズームレンズの広角端でオーバーバランスに増大し易い倍率色収差を適切なバランスに補正することが可能となる。
【００１９】
ここで、第Ｒレンズ群の該正レンズＬｐｘに採用する材料の部分分散比と倍率色収差の関係について説明する。図１３に示すように、現存する光学材料はアッベ数νｄに対し部分分散比θｇＦが狭い範囲に分布しており、νｄが小さいほどθｇＦが大きい傾向を持っている。所定の屈折力Φで、正の屈折力Φｐ、負の屈折力Φｎ、アッベ数νｐ、νｎ、軸上近軸光線の入射高ｈ、瞳近軸光線の入射高Ｈ、の２枚のレンズＧｐ、Ｇｎで構成される薄肉密着系の軸上色収差係数Ｌ、倍率色収差係数Ｔは以下の（ｃ）式及び（ｄ）式で表わされる。
Ｌ＝ｈ×ｈ×（Φｐ／νｐ＋Φｎ／νｎ）  ・・・（ｃ）
Ｔ＝ｈ×Ｈ×（Φｐ／νｐ＋Φｎ／νｎ）  ・・・（ｄ）
【００２０】
ここで、
Φ＝Φｐ＋Φｎ  ・・・（ｅ）
とする。また、軸上近軸光線及び瞳近軸光線は、次のように定義される光線である。軸上近軸光線は、光学系全系の広角端の焦点距離を１に規格化し、光学系に光軸と平行に、入射高を１として入射させた近軸光線である。瞳近軸光線は、光学系全系の広角端の焦点距離を１に規格化し、撮像面の最大像高に入射する光線の内、光学系の入射瞳と光軸との交点を通過する近軸光線である。
【００２１】
（ｃ）式及び（ｄ）式の各レンズの屈折力は、（ｅ）式がΦ＝１となるように規格化されている。３枚以上で構成される場合も同様に考えることができる。（ｃ）式及び（ｄ）式において、Ｌ＝０及びＴ＝０とするとＣ線−Ｆ線の軸上及び像面上での結像位置が合致する。このように、ある特定の２波長に対する色収差を補正することを、一般的に２波長色消し（１次スペクトル補正）と呼ぶ。特に高倍率のズームレンズでは、変倍に伴う色収差変動を抑制するために、各レンズ群の色収差、すなわちＬ及びＴが概ねゼロ近傍となるように補正される。
【００２２】
この時、物体距離を無限遠として光束を入射した場合のＦ線に対するｇ線の軸上色収差のずれ量及び倍率色収差のずれ量を、それぞれ軸上色収差の２次スペクトル量Δｓ、倍率色収差の２次スペクトル量Δｙとして定義すると、
Δｓ＝−ｈ×ｈ×（θｐ−θｎ）／（νｐ−νｎ）×ｆ  ・・・（ｆ）
Δｙ＝−ｈ×Ｈ×（θｐ−θｎ）／（νｐ−νｎ）×Ｙ  ・・・（ｇ）
であらわされる。ここで、ｆはレンズ全系の焦点距離、Ｙは像高とする。このように、更に特定の波長を加えて、ある特定の３波長に対する色収差を補正することを、一般的に３波長色消し（２次スペクトル補正）と呼ぶ。
【００２３】
ズームレンズの高仕様化の要求に伴い、高倍率のズーム比を達成するほど（ｆ）式の焦点距離ｆが増大するため、軸上色収差の２次スペクトルを低減することが難しくなる。また、広画角を達成するほど（ｇ）式の瞳近軸光線の入射高Ｈが増大するため、広角端倍率色収差の２次スペクトルを低減することが難しくなる。本発明の各実施例では、望遠端焦点距離をｆｔ、広角端焦点距離をｆｗ、広角端画角をωｗとするとき、
ｆｔ／ｆｗ＞１８．０  ・・・（ｈ）
ωｗ＞３５．０  ・・・（ｉ）
を達成しつつ、倍率色収差と軸上色収差の２次スペクトルの良好な補正を両立している。
【００２４】
（１）式の値が大きいほど、第Ｒレンズ群に有する正レンズＬｐｘの部分分散比θｐを大きくすることができ、（ｇ）式に基づいて倍率色収差の２次スペクトル量を低減することができる。（１）式を満たす光学材料は図１３に示す一般的なアッべ数と部分分散比の領域外の、所謂異常分散材量と呼ばれる領域に属し、特に高い色収差補正能力を有する光学材料である。（１）式の下限の条件が満たされないと、倍率色収差の２次スペクトルの補正が不足し、広角端の倍率色収差を良好に補正することが困難となる。（１）式の上限の条件が満たされないと、正レンズＬｐｘを構成する材料の部分分散比θｘが大きくなりすぎてしまい、青色の波長帯を良好にまとめる事が困難になる。
【００２５】
更に好ましくは、（１）式は次の如く設定するのが良い。
０．６２５＜θｘ＜０．６９０  ・・・（１ａ）
更に好ましくは、（１ａ）式は次の如く設定するのが良い。
０．６３０＜θｘ＜０．６８０  ・・・（１ａａ）
【００２６】
また、（２）式は前記正レンズＬｐｘの焦点距離と、第Ｒレンズ群の焦点距離の比を規定している。（２）式を満たすことで該正レンズＬｐｘに適切なパワーを持たせることができ、倍率色収差の２次スペクトルを良好に補正することができる。（２）式の上限の条件が満たされないと、該正レンズＬｐｘに適切なパワーを持たせることができず、倍率色収差の２次スペクトル補正を十分に発揮できない。（２）式の下限が満たされないと、高い異常分散性を有する正レンズＬｐｘのパワーが強くなりすぎてしまい、広角端の倍率色収差の過補正及びズーム全域の倍率色収差補正バランスの悪化を招く。また、軸上色収差の過補正を回避することも困難になってくる。
【００２７】
更に好ましくは、（２）式は次の如く設定するのが良い。
０．８５＜ｆｘ／ｆＲ＜２．０５  ・・・（２ａ）
更に好ましくは、（２ａ）式は次の如く設定するのが良い。
０．９＜ｆｘ／ｆＲ＜２．０  ・・・（２ａａ）
【００２８】
また、（３）式は第Ｒレンズ群に含まれる全ての正レンズと負レンズの色収差補正バランスを規定している。本発明の（１）式と（２）式を満足すると広角端の倍率色収差の２次スペクトルは良好に補正される一方で、軸上色収差の２次スペクトルは過補正になる恐れがある。そこで（３）式も同時に満たすことにより、軸上色収差と倍率色収差を良好なバランスで両立させることが可能となる。（３）式の上限の条件が満たされないと、軸上色収差が過補正になってしまい、良好な色収差バランスは達成できない。
【００２９】
更に好ましくは、（３）式は次の如く設定するのが良い。
｜（θｐ−θｎ）／（νｎ−νｐ）｜＜１．３５×１０-3  ・・・（３ａ）
更に好ましくは、（３ａ）式は次の如く設定するのが良い。
｜（θｐ−θｎ）／（νｎ−νｐ）｜＜１．２×１０-3  ・・・（３ａａ）
【００３０】
更なる本発明のズームレンズの態様として、第Ｒレンズ群に含まれる正レンズＬｐｘの物体側面頂点から絞りまでの光軸上の距離をＤｘ、第Ｒレンズ群の最も物体側面頂点から最も像側面頂点までの光軸上の距離をＤＲとしたとき、
０．８５＜Ｄｘ／ＤＲ＜０．９９  ・・・（４）
を満たしている。（４）式は正レンズＬｐｘの第Ｒレンズ群内の配置について規定している。前記（ｇ）式より、倍率色収差の２次スペクトルを低減するには瞳近軸光線の入射高Ｈの高い位置に正レンズＬｐｘを配置するのが効果的である。一般的に、絞りからの距離が離れれば離れるほど瞳近軸光線の入射高Ｈは高くなる傾向を有し、（４）式を満たすことで広角端倍率色収差の２次スペクトルを更に良好に補正することができる。（４）式の下限の条件が満たされないと、広角端における倍率色収差の２次スペクトルの補正が困難となるため好ましくない。（４）式の上限の条件が満たされないと正レンズＬｐｘが適切なレンズ肉厚を持たず、倍率色収差補正の効果を十分に発揮できないため好ましくない。
【００３１】
更に好ましくは、（４）式は次の如く設定するのが良い。
０．８８＜Ｄｘ／ＤＲ＜０．９８  ・・・（４ａ）
更に好ましくは、（４ａ）式は次の如く設定するのが良い。
０．９０＜Ｄｘ／ＤＲ＜０．９７  ・・・（４ａａ）
【００３２】
更なる本発明のズームレンズの態様として、第Ｒレンズ群に含まれる負レンズの光学材料の屈折率と部分分散比を其々ｎｙとθｙ、該負レンズの物体側面頂点から絞りまでの光軸上の距離をＤｙとしたとき、
１.８５＜ｎｙ＜２．２０  ・・・（５）
０．５６０＜θｙ＜０．６２０  ・・・（６）
０．７５＜Ｄｙ／ＤＲ＜０．９８  ・・・（７）
を満たしている。
【００３３】
（５）式は前記正レンズＬｐｘと色収差補正関係を構築する負レンズに採用する光学材料の屈折率を規定している。以下、この負レンズを「負レンズＬｎｙ」と表現する。（５）式を満たすことで、該負レンズＬｎｙの硝材は必然的に高屈折率、高分散材を選択することになり、前記正レンズＬｐｘに適切なパワーを付け易くなるため、広角端の倍率色収差を更に良好に補正することが可能となる。また、前記正レンズＬｐｘが高屈折率硝材を選択される傾向にあるため、該負レンズＬｎｙも高屈折率硝材を選択することで、ペッツバール和の制御にも効果がある。更に、該負レンズＬｎｙの曲率半径を緩やかにすることができ、高次収差の抑制も可能となる。（５）式の下限の条件が満たされないと、前記正レンズＬｐｘに十分なパワーがつけられず倍率色収差の２次スペクトル補正効果が十分に発揮されないため好ましくない。また、上述の諸収差の制御も困難となるため好ましくない。（５）式の上限の条件が満たされないと、負レンズＬｎｙが必要以上に高屈折力の材料で構成されることになり、現存する光学材料においては適切な色収差補正を持たせるための分散値や部分分散比の選択が困難となる。
【００３４】
更に好ましくは、（５）式は次の如く設定するのが良い。
１．８８＜ｎｙ＜２．１５  ・・・（５ａ）
更に好ましくは、（５ａ）式は次の如く設定するのが良い。
１．９０＜ｎｙ＜２．１０  ・・・（５ａａ）
【００３５】
（６）式は前記正レンズＬｐｘと色収差補正関係を構築する負レンズＬｎｙに採用する光学材料の部分分散比を規定している。（６）式を満たすことで、前記正レンズＬｐｘが発揮する異常分散性の効果をより効果的に発揮できるような負レンズＬｎｙの硝材選択となる。（６）式の上限の条件が満たされないと、前記正レンズＬｐｘの異常分散性による効果を該負レンズＬｎｙが相殺してしまい、倍率色収差の２次スペクトル補正が十分に達成されないため好ましくない。（６）式の下限の条件が満たされないと、現存する光学材料においては前記正レンズＬｐｘとの分散値と大きな差異が生じ、適切な曲率を持たせることが困難となり、色収差補正の効果を発揮するのが困難となる。
【００３６】
更に好ましくは、（６）式は次の如く設定するのが良い。
０．５７０＜θｙ＜０．６１６  ・・・（６ａ）
更に好ましくは、（６ａ）式は次の如く設定するのが良い。
０．５８０＜θｙ＜０．６１４  ・・・（６ａａ）
【００３７】
（７）式は、前記正レンズＬｐｘと色収差補正関係を構築する負レンズＬｎｙに採用する光学材料の第Ｒレンズ群内の配置を規定している。（７）式を満たすことで、前記正レンズＬｐｘとの色収差補正関係が近い位置で効果的に発揮され、前記正レンズＬｐｘのパワーを適切に強めることができる。（７）式の下限の条件が満たされないと、前記正レンズＬｐｘと離れ過ぎてしまい、適切なパワーを持たせることが困難となる。また、絞りの近くに該負レンズＬｎｙが配置されると軸上近軸光線径を増大させる作用があり、レンズの小型軽量化の妨げとなるため好ましくない。（７）式の上限の条件が満たされないと、前記正レンズＬｐｘと負レンズＬｎｙに十分な肉厚を確保できなくなり、各レンズに適切なパワーを持たせることが困難となる。
【００３８】
更に好ましくは、（７）式は次の如く設定するのが良い。
０．８＜Ｄｙ／ＤＲ＜０．９７  ・・・（７ａ）
更に好ましくは、（７ａ）式は次の如く設定するのが良い。
０．８５＜Ｄｙ／ＤＲ＜０．９６  ・・・（７ａａ）
【００３９】
更なる本発明のズームレンズの態様として、第Ｒレンズ群に含まれる負レンズの光学材料の部分分散比をθｚ、該負レンズの焦点距離をｆｚ、絞りから該負レンズの絞りに近い面頂点までの光軸上の距離をＤｚとしたとき、
−１．７４４×１０-3×νｚ＋０．６５３６＜θｚ
＜−１．７４４×１０-3×νｚ＋０．７１７７  ・・・（８）
−３．５＜ｆｚ／ｆＲ＜−０．４  ・・・（９）
｜Ｄｚ／ＤＲ｜＜０．７  ・・・（１０）
を満たしている。
【００４０】
（８）式は、第Ｒレンズ群内の前記正レンズＬｐｘよりも瞳近軸光線の入射高Ｈの低い場所に配置する負レンズに採用する光学材料の部分分散比を規定している。以下、この異常分散性を有する負レンズを特定して指す場合は「負レンズＬｎｚ」と表現する。前記正レンズＬｐｘは、（ｇ）式に基づいて広角端の倍率色収差の２次スペクトルをアンダーバランスへ補正すると同時に、（ｆ）式に基づいて軸上色収差の２次スペクトルもアンダーへ補正する作用を有する。前記正レンズＬｐｘによる倍率色収差の補正効果を強め過ぎると、ズーム全域の軸上色収差の２次スペクトルを過補正のバランスにしてしまう。軸上色収差の過補正を防ぐためには、（３）式のように第Ｒレンズ群内で軸上色収差の補正バランスを適性に保つことが必要であるが、異常分散材による効果を一般硝材で相殺することは困難である。そこで、第Ｒレンズ群内で特に軸上色収差に効く場所に異常分散性を有する負レンズＬｎｚを配置すると、軸上色収差の２次スペクトルの過補正を効果的に防ぐ事が出来る。
【００４１】
（８）式を満たすことで、第Ｒレンズ群内に敢えて軸上色収差の２次スペクトルをオーバーに増大させる負レンズＬｎｚを配置することとなる。これにより軸上色収差の過補正を防ぎ、適切な軸上色収差と倍率色収差の補正バランスを達成することができる。（８）式の下限の条件が満たされないと、負レンズＬｎｚの光学材料の異常分散性が不足し、軸上色収差の過補正を回避することが困難となり、ズーム全域における軸上色収差と倍率色収差の良好な両立が困難となる。（８）式の上限の条件が満たされないと、負レンズを構成する光学材料の異常分散性が強すぎるため、軸上色収差の悪化を招くため好ましくない。
【００４２】
更に好ましくは、（８）式は次の如く設定するのが良い。
−１．７２７×１０-3×νｚ＋０．６５９５＜θｚ
＜−１．７２７×１０-3×νｚ＋０．７１４１  ・・・（８ａ）
更に好ましくは、（８ａ）式は次の如く設定するのが良い。
−１．４４６×１０-3×νｚ＋０．６５３１＜θｚ
＜−１．４４６×１０-3×νｚ＋０．６７９４  ・・・（８ａａ）
【００４３】
（９）式は前記負レンズＬｎｚの焦点距離と、第Ｒレンズ群の焦点距離の比を規定している。（９）式を満たすことで前記負レンズＬｎｚに適切なパワーを持たせることができ、軸上色収差の２次スペクトルの過補正を適切に防ぐことができる。（９）式の下限の条件が満たされないと、負レンズＬｎｚに十分なパワーを持たせることができず、軸上色収差の２次スペクトルの過補正を適切に防ぐことが出来ない。（９）式の上限の条件が満たされないと、負レンズＬｎｚが過剰なパワーを有し、軸上色収差の２次スペクトル補正が不足となる。
【００４４】
更に好ましくは、（９）式は次の如く設定するのが良い。
−３．２＜ｆｚ／ｆＲ＜−０．５  ・・・（９ａ）
更に好ましくは、（９）式は次の如く設定するのが良い。
−２．５＜ｆｚ／ｆＲ＜−０．６  ・・・（９ａａ）
【００４５】
（１０）式は前記負レンズＬｎｚの第Ｒレンズ群内の配置について規定している。前記負レンズＬｎｚは軸上色収差の過補正を防ぐため、（ｆ）式から分かるように軸上近軸光線の入射高ｈが大きい位置に配置することが効果的である。また、（ｇ）式から分かるように、前記正レンズＬｐｘによる倍率色収差の２次スペクトル補正を邪魔しないよう、瞳近軸光線の入射高Ｈが極力低い場所に配置することが好ましい。（１０）式は（４）式と対の関係となっている。（１０）式を満たすことで、前記負レンズＬｎｚを瞳近軸光線の入射高Ｈの低い位置に配置することができ、軸上色収差の過補正を効果的に防ぐとともに、前記正レンズＬｐｘによる倍率色収差の２次スペクトル補正を効果的に発揮させることが出来る。ここで、（１０）式を絶対値表記している理由は、本特許内では基本的に物体側から像側へ向けて測定した距離を正の値として扱うのに対し、Ｄｚの値が負の値となる（つまり、負レンズＬｎｚが絞りよりも物体側に存在する）場合も想定しているからである。（１０）式の上限の条件が満たされないと、前記正レンズＬｐｘと該負レンズＬｎｚが近い位置に配置されることとなり、負レンズＬｎｚの異常分散性が前記正レンズＬｐｘによる倍率色収差の２次スペクトル補正効果を相殺してしまうため好ましくない。
【００４６】
更に好ましくは、（１０）式は次の如く設定するのが良い。
｜Ｄｚ／ＤＲ｜＜０．６６  ・・・（１０ａ）
更に好ましくは、（１０ａ）式は次の如く設定するのが良い。
｜Ｄｚ／ＤＲ｜＜０．６３  ・・・（１０ａａ）
【００４７】
更なる本発明のズームレンズの態様として、第２レンズ群に含まれる全ての正レンズの部分分散比の平均値とアッべ数の平均値をそれぞれθ２ｐとν２ｐ、第２レンズ群に含まれる全ての負レンズの部分分散比の平均値とアッべ数の平均値をそれぞれθ２ｎとν２ｎとしたとき、
１．２×１０-3＜（θ２ｐ−θ２ｎ）／（ν２ｎ−ν２ｐ）＜６．０×１０-3
・・・（１１）
を満たしている。
【００４８】
（１１）式はズームレンズの第２レンズ群の色収差補正について規定している。第２レンズ群の色収差補正バランスは、広角端の倍率色収差補正に影響する。また、第２レンズ群は本発明のズームレンズにおいて主の変倍群としての役割を担っており、第２レンズ群の色収差補正をどのバランスにするかによって、色収差のズーム変動が決まる。本発明のズームレンズは高ズーム比と広画角という仕様を両立しており、特に広角端の倍率色収差と望遠端の軸上色収差が共に良好に補正されている必要がある。（１１）式の下限の条件が満たされないと、特に望遠端における軸上色収差の補正が不足し、高ズーム比の達成と良好な色収差補正の両立が困難となる。（１１）の上限が満たされないと、倍率色収差のズーム変動の補正が困難となるため好ましくない。
【００４９】
更に好ましくは、（１１）式は次の如く設定するのが良い。
１．４×１０-3＜（θ２ｐ−θ２ｎ）／（ν２ｎ−ν２ｐ）＜５．５×１０-3
・・・（１１ａ）
更に好ましくは、（１１ａ）式は次の如く設定するのが良い。
１．６×１０-3＜（θ２ｐ−θ２ｎ）／（ν２ｎ−ν２ｐ）＜５．０×１０-3
・・・（１１ａａ）
【００５０】
更に、本発明の撮像装置は、各実施例のズームレンズとズームレンズによって形成された像を受光する所定の有効撮像範囲を有する固体撮像素子を有することを特徴とする。
【００５１】
以下に本発明のズームレンズの具体的な構成について、実施例１〜６に対応する数値実施例１〜６のレンズ構成の特徴により説明する。
【実施例１】
【００５２】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離３３ｍｍ、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００５３】
図１において、物体側から順に、合焦用の正の屈折力を有する第１レンズ群Ｕ１を有している。さらに、広角端から望遠端への変倍に際して、像側へ移動する変倍用の負の屈折力を有する第２レンズ群Ｕ２を有している。さらに、第２レンズ群Ｕ２の移動に連動して光軸上を移動し、変倍に伴う像面変動を補正する正の屈折力を有する第３レンズ群Ｕ３を有している。本実施例のズームレンズは４群構成であり、第３レンズ群Ｕ３が第（Ｒ−１）レンズ群に対応し、第４レンズ群Ｕ４が第Ｒレンズ群に対応する。実施例１では、第２レンズ群Ｕ２、第３レンズ群Ｕ３で変倍系を構成している。さらに、変倍のためには移動しない結像作用をする第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００５４】
縦収差図において、球面収差における直線、一点鎖線、二点鎖線は各々ｅ線、Ｃ線、ｇ線である。非点収差における点線と実線は各々メリディオナル像面、サジタル像面であり、倍率色収差における一点鎖線と二点鎖線は各々Ｃ線、ｇ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。
【００５５】
次に、本実施例における各レンズ群の構成について説明する。第１レンズ群Ｕ１は第１面から第１７面に対応する。第１レンズ群Ｕ１は、合焦時に移動しない負の屈折力を有する第１１レンズ群Ｕ１１、無限遠側から至近側への合焦時に像側へ移動する正の屈折力を有する第１２レンズ群Ｕ１２、正の屈折力を有する第１３レンズ群Ｕ１３から構成される。第１３レンズ群Ｕ１３群は合焦時に第１２レンズ群Ｕ１２と連動して移動しても良い。第２レンズ群Ｕ２は、第１８面から第２６面に、第３レンズ群Ｕ３は、第２７面から第３６面に対応している。開口絞りは第３７面に対応する。第４レンズ群Ｕ４は、第３８面から第５８面に対応する。実施例１における前記正レンズＬｐｘは第５７〜５８面に対応する。前記負レンズＬｎｙは第５５〜５６面に対応する。前記負レンズＬｎｚは第４８〜４９面に対応する。第４レンズ群において瞳近軸光線の入射高Ｈが高い位置である最像面側に（１）式を満足する高い部分分散比を有する正レンズＬｐｘを配置することにより、主に広角端の倍率色収差の２次スペクトルを効果的にアンダーバランスに補正している。また前記正レンズＬｐｘの近傍に（５）式を満足する高い屈折率硝材からなる負レンズを配置し、前記正レンズに適切なパワーを持たせる効果やペッツバール和の適切な制御などの効果を発揮している。また第４レンズ群において前記正レンズＬｐｘよりも物体側に（８）式を満足する高い部分分散比を有する負レンズＬｐｚを配置することにより、主にズーム全域の軸上色収差の２次スペクトルの過補正を適切に防ぐ効果を発揮している。第５９面から第６１面は色分解光学系光などに相当するダミーガラスである。
【００５６】
本実施例においては、第Ｒレンズ群は、正レンズＬｐｘ，負レンズＬｎｙ、負レンズＬｎｚをそれぞれ１枚ずつ有する構成としたが、本発明はこれに限定されることはなく、それぞれを１枚以上ずつ有していてもよい。これについては以下の実施例についても同様である。
【００５７】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０-Z」を意味する。
【数１】
0006711666.tif 000002
【００５８】
本実施例の各条件式対応値を表１に示す。実施例１は（１）〜（１０）式を満足している。広角端画角ωｗが３５．９０°、１８．５倍の広画角かつ高倍率のズームレンズでありながら、広角端における倍率色収差の２次スペクトルとズーム全域の軸上色収差の２次スペクトルの良好な補正の両立を達成している。
【００５９】
しかしながら、本発明のズームレンズは、（１）〜（３）式を満足することは必須であるが、（４）〜（１０）式については満足していなくても構わない。但し、（４）〜（１０）式について少なくとも１つでも満足していれば更に良い効果を奏することができる。これは他の実施例についても同様である。
【００６０】
図１４は各実施例のズームレンズを撮影光学系として用いた撮像装置（テレビカメラシステム）の概略図である。図１４において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の後群Ｒを有している。第１レンズ群Ｆは合焦用レンズ群が含まれている。変倍部ＬＺは変倍のために光軸上を移動する第２レンズ群や変倍に伴う像面変動を補正するために光軸上を移動する第（Ｒ−１）レンズ群が含まれている。ＳＰは開口絞りである。結像用の後群Ｒには、第Ｒレンズ群が含まれている。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体の光学像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００６１】
このように、本発明のズームレンズをテレビカメラに適用することにより、高い光学性能を有する撮像装置を実現している。
【実施例２】
【００６２】
図３は本発明の実施例２（数値実施例２）であるズームレンズにおいて、広角端で無限遠に合焦しているときのレンズ断面図である。図４において、（ａ）は数値実施例２の広角端、（ｂ）は数値実施例２の焦点距離３１．３ｍｍ、（ｃ）は数値実施例２の望遠端の縦収差図を示している。いずれの収差図も、無限遠に合焦しているときの縦収差図である。本実施例のズームレンズは４群構成であり、第３レンズ群Ｕ３が第（Ｒ−１）レンズ群に対応し、第４レンズ群Ｕ４が第Ｒレンズ群に対応する。
【００６３】
数値実施例２の第１レンズ群Ｕ１は第１面から第１７面に対応する。第２レンズ群Ｕ２は、第１８面から第２６面に、第３レンズ群Ｕ３は、第２７面から第３６面に対応している。開口絞りは第３７面に対応する。第４レンズ群Ｕ４は、第３８面から第５８面に対応する。実施例２における前記正レンズＬｐｘは第５７〜５８面に対応する。前記負レンズＬｎｙは第５６〜５７面に対応する。前記正レンズＬｐｘと前記負レンズＬｎｙは接合されていても良いし、其々単レンズとして存在していても良い。前記負レンズＬｎｚは第４８〜４９面に対応する。第５９面から第６１面は色分解光学系光などに相当するダミーガラスである。
【００６４】
実施例２は（１）〜（１０）式を満足しており、広角端画角ωｗが３７．３８°、１８．５倍の広画角高倍率のズームレンズでありながら、広角端における倍率色収差の２次スペクトルとズーム全域の軸上色収差の２次スペクトルの良好な補正の両立を達成している。
【実施例３】
【００６５】
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離２８．７ｍｍ、（ｃ）は数値実施例３の望遠端の縦収差図を示している。いずれの収差図も、無限遠に合焦しているときの縦収差図である。本実施例のズームレンズは４群構成であり、第３レンズ群Ｕ３が第（Ｒ−１）レンズ群に対応し、第４レンズ群Ｕ４が第Ｒレンズ群に対応する。
【００６６】
数値実施例３の第１レンズ群Ｕ１は第１面から第１９面に対応する。第２レンズ群Ｕ２は、第２０面から第２７面に、第３レンズ群Ｕ３は、第２８面から第３８面に対応している。開口絞りは第３９面に対応する。第４レンズ群Ｕ４は、第４０面から第５６面に対応する。実施例３における前記正レンズＬｐｘは第５５〜５６面に対応する。前記負レンズＬｎｙは第５３〜５４面に対応する。前記負レンズＬｎｚは第４６〜４７面に対応する。第５７面から第５９面は色分解光学系光などに相当するダミーガラスである。
【００６７】
実施例３は（１）〜（１０）式を満足しており、広角端画角ωｗが３９．３８°、２７．０倍の広画角高倍率のズームレンズでありながら、広角端における倍率色収差の２次スペクトルとズーム全域の軸上色収差の２次スペクトルの良好な補正の両立を達成している。
【実施例４】
【００６８】
図７は本発明の実施例４（数値実施例４）であるズームレンズにおいて、広角端で無限遠に合焦しているときのレンズ断面図である。図８において、（ａ）は数値実施例４の広角端、（ｂ）は数値実施例４の焦点距離２８．７ｍｍ、（ｃ）は数値実施例４の望遠端の縦収差図を示している。いずれの収差図も、無限遠に合焦しているときの縦収差図である。本実施例のズームレンズは４群構成であり、第３レンズ群Ｕ３が第（Ｒ−１）レンズ群に対応し、第４レンズ群Ｕ４が第Ｒレンズ群に対応する。
【００６９】
数値実施例４の第１レンズ群Ｕ１は第１面から第１９面に対応する。第２レンズ群Ｕ２は、第２０面から第２７面に、第３レンズ群Ｕ３は、第２８面から第３８面に対応している。開口絞りは第３９面に対応する。第４レンズ群Ｕ４は、第４０面から第５８面に対応する。実施例４における前記正レンズＬｐｘは第５７〜５８面に対応する。前記負レンズＬｎｙは第５６〜５７面に対応する。前記負レンズＬｎｚは第４６〜４７面に対応する。第５９面から第６１面は色分解光学系光などに相当するダミーガラスである。
【００７０】
実施例４は（１）〜（１０）式を満足しており、広角端画角ωｗが３９．３８°、２７．０倍の広画角高倍率のズームレンズでありながら、広角端における倍率色収差の２次スペクトルとズーム全域の軸上色収差の２次スペクトルの良好な補正の両立を達成している。
【実施例５】
【００７１】
図９は本発明の実施例５（数値実施例５）であるズームレンズにおいて、広角端で無限遠に合焦しているときのレンズ断面図である。図１０において、（ａ）は数値実施例５の広角端、（ｂ）は数値実施例５の焦点距離３５．０ｍｍ、（ｃ）は数値実施例５の望遠端の縦収差図を示している。いずれの収差図も、無限遠に合焦しているときの縦収差図である。
【００７２】
図９において、物体側から順に、合焦用の正の屈折力を有する第１レンズ群Ｕ１を有している。さらに、広角端から望遠端への変倍に際して、像側へ移動する変倍用の負の屈折力を有する第２レンズ群Ｕ２を有している。さらに、変倍群として移動する正の第３レンズ群Ｕ３を有している。更に、変倍に伴う像面変動を補正する正の屈折力を有する第４レンズ群Ｕ４を有している。実施例５では、第２レンズ群Ｕ２、第３レンズ群Ｕ３、第４レンズ群Ｕ４で変倍系を構成している。さらに、変倍のためには移動しない結像作用をする第５レンズ群Ｕ５を有している。ＳＰは開口絞りであり、第４レンズ群Ｕ４と第５レンズ群Ｕ５の間に配置されており、開口絞りは変倍に際して光軸方向に不動である。ＩＰは像面である。本実施例のズームレンズは５群構成であり、第４レンズ群Ｕ４が第（Ｒ−１）レンズ群に対応し、第５レンズ群Ｕ５が第Ｒレンズ群に対応する。
【００７３】
数値実施例５の第１レンズ群Ｕ１は第１面から第１７面に対応する。第２レンズ群Ｕ２は第１８面から第２４面に、第３レンズ群Ｕ３は第２５面から第３０面に、第４レンズ群Ｕ４は第３１面から第３５面に対応している。開口絞りは第３６面に対応する。第５レンズ群Ｕ５は、第３７面から第５５面に対応する。実施例５における前記正レンズＬｐｘは第５４面から第５５面に対応する。前記負レンズＬｎｙは第５３面から第５４面に対応する。前記負レンズＬｎｚは第４３面から第４４面に対応する。第５６面から第５８面は色分解光学系光などに相当するダミーガラスである。
【００７４】
実施例５は（１）〜（１０）式を満足しており、広角端画角ωｗが４０．２４°、３０．０倍の広画角高倍率のズームレンズでありながら、広角端における倍率色収差の２次スペクトルとズーム全域の軸上色収差の２次スペクトルの良好な補正の両立を達成している。
【実施例６】
【００７５】
図１１は本発明の実施例６（数値実施例６）であるズームレンズにおいて、広角端で無限遠に合焦しているときのレンズ断面図である。図１２において、（ａ）は数値実施例６の広角端、（ｂ）は数値実施例６の焦点距離３５．０ｍｍ、（ｃ）は数値実施例６の望遠端の縦収差図を示している。いずれの収差図も、無限遠に合焦しているときの縦収差図である。
【００７６】
図１２において、物体側から順に、合焦用の正の屈折力を有する第１レンズ群Ｕ１を有している。さらに、広角端から望遠端への変倍に際して、像側へ移動する変倍用の負の屈折力を有する第２レンズ群Ｕ２を有している。さらに、変倍群として移動する正の第３レンズ群Ｕ３を有している。更に、変倍に伴う像面変動を補正する正の屈折力を有する第４レンズ群Ｕ４を有している。実施例６では、第２レンズ群Ｕ２、第３レンズ群Ｕ３、第４レンズ群Ｕ４で変倍系を構成している。さらに、変倍のためには移動しない結像作用をする第５レンズ群Ｕ５を有している。ＳＰは開口絞りであり、第４レンズ群Ｕ４と第５レンズ群Ｕ５の間に配置されており、開口絞りは変倍に際して光軸方向に不動である。ＩＰは像面である。本実施例のズームレンズは５群構成であり、第４レンズ群Ｕ４が第（Ｒ−１）レンズ群に対応し、第５レンズ群Ｕ５が第Ｒレンズ群に対応する。
【００７７】
数値実施例６の第１レンズ群Ｕ１は第１面から第１７面に対応する。第２レンズ群Ｕ２は第１８面から第２４面に、第３レンズ群Ｕ３は第２５面から第２９面に、第４レンズ群Ｕ４は第３０面から第３４面に対応している。開口絞りは第３５面に対応する。第５レンズ群Ｕ５は、第３６面から第５０面に対応する。実施例６における前記正レンズＬｐｘは第４９面から第５０面に対応する。前記負レンズＬｎｙは第４７面から第４８面に対応する。前記負レンズＬｎｚは第３６面から第３７面に対応する。実施例６では、特に負レンズＬｎｚを絞り付近に配置したことで軸上色収差の制御がしやすく、軸上色収差と倍率色収差の良好な補正の両立が行いやすい実施例となっている。第５１面から第５３面は色分解光学系光などに相当するダミーガラスである。
【００７８】
実施例６は（１）〜（１０）式を満足しており、広角端画角ωｗが４０．２４°、３０．０倍の広画角高倍率のズームレンズでありながら、広角端における倍率色収差の２次スペクトルとズーム全域の軸上色収差の２次スペクトルの良好な補正の両立を達成している。
【００７９】
以上、本発明の好ましい実施形態について説明したが、本発明はこれらの実施形態に限定されず、その要旨の範囲内で種々の変形及び変更が可能である。
【００８０】
＜数値実施例１＞
単位 ｍｍ
面データ
面番号i     ri        di       ndi       vdi      θgFi    有効径    焦点距離
1      330.65503   4.70000   1.772499   49.60    0.5521    150.303   -189.750
2      101.26412  36.34541                                 129.929            
3     -183.15461   4.50000   1.772499   49.60    0.5521    129.327   -233.726
4    19359.76807   0.15000                                 129.551            
5      246.44151   9.27710   1.717362   29.51    0.5985    129.808    524.999
6      691.33842   8.84999                                 129.052            
7    -1321.45209  15.28058   1.496999   81.54    0.5374    128.082    358.212
8     -157.90362   0.20000                                 127.686            
9    -1632.59919   4.40000   1.805177   25.43    0.6100    118.796   -285.015
10      270.23500  13.57890   1.496999   81.54    0.5374    114.859    328.285
11     -407.88649  36.08134                                 113.773            
12      593.05823  17.07760   1.496999   81.54    0.5374    120.882    281.259
13     -181.83708   0.15000                                 121.487            
14      203.38332  12.43394   1.496999   81.54    0.5374    119.608    389.950
15    -4297.91796   0.15000                                 118.801            
16      117.84235   8.63668   1.620411   60.29    0.5426    112.584    530.192
17      178.07027    (可変)                                 110.522            
18       87.31062   1.50000   1.882997   40.76    0.5667     41.981   -118.020
19       47.24861   5.81635                                  39.143            
20     -239.96231   1.50000   1.772499   49.60    0.5521     38.908   -102.385
21      119.14944   6.41391                                  38.541            
22      -51.64044   1.50000   1.772499   49.60    0.5521     38.634    -72.786
23     -608.35597   8.12272   1.808095   22.76    0.6307     40.564     51.043
24      -39.23538   0.67532                                  41.534            
25      -36.84928   1.50000   1.816000   46.62    0.5568     41.461    -52.806
26     -251.55141    (可変)                                  44.453            
27     -758.13586   5.26696   1.620411   60.28    0.5426     52.289    179.964
28      -97.91536   0.20000                                  53.210            
29      394.19801   2.50000   1.647689   33.80    0.5884     54.914   -108.595
30       59.89028  12.81078   1.589130   61.18    0.5404     56.292     74.772
31     -155.59949   0.20000                                  56.957            
32      189.10441   8.94404   1.603112   60.70    0.5410     57.541    109.231
33      -99.89556   2.50000   1.846658   23.89    0.6162     57.429   -190.344
34     -261.65311   0.20000                                  57.646            
35      133.98688   7.77885   1.618000   63.39    0.5439     57.105    117.227
36     -155.49372    (可変)                                  56.612            
37        (絞り)    3.19855                                  32.535            
38      -61.76990   1.50000   1.729157   54.68    0.5444     31.756    -25.553
39       27.12296   4.19672   1.808095   22.76    0.6307     30.610     53.232
40       67.13303   6.14481                                  30.378            
41      -35.02826   1.80000   1.772499   49.60    0.5521     30.404    -36.387
42      149.10528   8.81342   1.846660   23.78    0.6205     33.035     41.227
43      -44.90663   1.00000                                  34.773            
44     -120.38703  10.00000   1.531717   48.84    0.5630     34.875    561.657
45      -88.40479   9.00000                                  36.025            
46      197.00000   5.50000   1.613397   44.27    0.5633     35.627     81.125
47      -66.34498   3.45237                                  35.420            
48      -49.33948   1.50000   1.808095   22.76    0.6307     33.934    -26.170
49       38.20168   9.47556   1.720467   34.71    0.5834     34.487     29.826
50      -44.68934   1.99716                                  34.714            
51      426.54744   1.50000   1.846660   23.78    0.6205     32.241    -43.856
52       34.41279   7.35363   1.438750   94.93    0.5343     30.965     54.001
53      -71.67321   0.50000                                  30.856            
54       97.57349   6.51123   1.438750   94.93    0.5343     29.926     59.200
55      -34.79366   1.50000   2.003300   28.27    0.5980     29.315    -37.466
56     -433.22268   1.00000                                  29.611            
57      130.68194   4.88364   1.892860   20.36    0.6394     29.744     45.037
58      -58.00948   6.00000                                  29.585            
59        ∞       33.00000   1.608590   46.44    0.5664     50.000            
60        ∞       13.20000   1.516330   64.15    0.5352     50.000            
61        ∞        6.97000                                  50.000            
像面       ∞   
非球面データ
第28面
K = 0.00000e+000  A 4= 2.21810e-007  A 6= 2.77257e-010  A 8=-3.68135e-013  A10= 2.09807e-016  
【００８１】
各種データ
ズーム比     18.50 
焦点距離        7.60    33.03   140.58  
Fナンバー       1.54     1.54     1.95  
画角           35.90     9.45     2.24  
レンズ全長    547.44   547.44   547.44  
BF              6.97     6.97     6.97  
d17             5.71    79.71   112.84  
d26           150.34    62.65     4.40  
d36             2.15    15.84    40.95  
入射瞳位置    100.19   205.74   514.97  
射出瞳位置    235.52   235.52   235.52  
前側主点位置  108.05   243.54   742.02  
後側主点位置   -0.63   -26.06  -133.60  
ズームレンズ群データ
群  始面    焦点距離  レンズ構成長  前側主点位置  後側主点位置
1    1     113.04       171.81       120.23         63.79
2   18     -29.50        27.03         8.08        -11.84
3   27      49.00        40.40        15.25        -11.41
4   37      41.60       143.03        50.91          7.86
単レンズデータ
レンズ  始面  焦点距離
1       1   -189.75
2       3   -233.73
3       5    525.00
4       7    358.21
5       9   -285.02
6      10    328.28
7      12    281.26
8      14    389.95
9      16    530.19
10      18   -118.02
11      20   -102.38
12      22    -72.79
13      23     51.04
14      25    -52.81
15      27    179.96
16      29   -108.60
17      30     74.77
18      32    109.23
19      33   -190.34
20      35    117.23
21      38    -25.55
22      39     53.23
23      41    -36.39
24      42     41.23
25      44    561.66
26      46     81.13
27      48    -26.17
28      49     29.83
29      51    -43.86
30      52     54.00
31      54     59.20
32      55    -37.47
33      57     45.04
34      59      0.00
35      60      0.00
【００８２】
＜数値実施例２＞
単位 ｍｍ
面番号i     ri        di       ndi       vdi      θgFi    有効径    焦点距離
1      330.65503   4.70000   1.772499   49.60    0.5521    150.303   -189.750
2      101.26412  36.34541                                 129.929            
3     -183.15461   4.50000   1.772499   49.60    0.5521    129.327   -233.726
4    19359.76807   0.15000                                 129.551            
5      246.44151   9.27710   1.717362   29.51    0.5985    129.808    524.999
6      691.33842   8.84999                                 129.052            
7    -1321.45209  15.28058   1.496999   81.54    0.5374    128.082    358.212
8     -157.90362   0.20000                                 127.686            
9    -1632.59919   4.40000   1.805177   25.43    0.6100    118.796   -285.015
10      270.23500  13.57890   1.496999   81.54    0.5374    114.859    328.285
11     -407.88649  36.08134                                 113.773            
12      593.05823  17.07760   1.496999   81.54    0.5374    120.882    281.259
13     -181.83708   0.15000                                 121.487            
14      203.38332  12.43394   1.496999   81.54    0.5374    119.608    389.950
15    -4297.91796   0.15000                                 118.801            
16      117.84235   8.63668   1.620411   60.29    0.5426    112.584    530.192
17      178.07027    (可変)                                 110.522            
18       87.31062   1.50000   1.882997   40.76    0.5667     41.981   -118.020
19       47.24861   5.81635                                  39.143            
20     -239.96231   1.50000   1.772499   49.60    0.5521     38.908   -102.385
21      119.14944   6.41391                                  38.541            
22      -51.64044   1.50000   1.772499   49.60    0.5521     38.634    -72.786
23     -608.35597   8.12272   1.808095   22.76    0.6307     40.564     51.043
24      -39.23538   0.67532                                  41.534            
25      -36.84928   1.50000   1.816000   46.62    0.5568     41.461    -52.806
26     -251.55141    (可変)                                  44.453            
27     -758.13586   5.26696   1.620411   60.28    0.5426     52.289    179.964
28      -97.91536   0.20000                                  53.210            
29      394.19801   2.50000   1.647689   33.80    0.5884     54.914   -108.595
30       59.89028  12.81078   1.589130   61.18    0.5404     56.292     74.772
31     -155.59949   0.20000                                  56.957            
32      189.10441   8.94404   1.603112   60.70    0.5410     57.541    109.231
33      -99.89556   2.50000   1.846658   23.89    0.6162     57.429   -190.344
34     -261.65311   0.20000                                  57.646            
35      133.98688   7.77885   1.618000   63.39    0.5439     57.105    117.227
36     -155.49372    (可変)                                  56.612            
37        (絞り)    3.20000                                  31.852            
38      -70.54716   1.50000   1.754998   52.32    0.5476     30.840    -24.094
39       24.88881   4.76000   1.808095   22.76    0.6307     29.547     42.769
40       79.20295   8.58000                                  29.294            
41      -28.02008   1.50000   1.772499   49.60    0.5521     29.114    -23.994
42       56.84026  12.08000   1.603420   38.03    0.5835     32.956     34.469
43      -30.46652   0.50000                                  35.394            
44      -85.70100  15.00000   1.603420   38.03    0.5835     36.128   -182.931
45     -400.00000   7.00000                                  40.554            
46      123.55540   8.34614   1.854780   24.80    0.6122     44.107     46.803
47      -58.11999   5.00974                                  44.159            
48      -43.01035   1.50000   1.959060   17.47    0.6599     40.964    -63.902
49     -142.29192   5.14716   1.800000   29.84    0.6017     42.007     87.459
50      -47.91353   5.00003                                  42.352            
51     -890.50147   1.50000   2.000690   25.46    0.6133     37.719    -33.118
52       34.78248  10.57541   1.438750   94.93    0.5343     36.290     49.180
53      -51.90206   0.33856                                  36.692            
54       38.16222   9.86353   1.496999   81.54    0.5374     36.231     45.565
55      -51.27538   0.46761                                  35.411            
56      -64.24482   1.50000   1.854780   24.80    0.6122     33.816    -39.394
57       72.97053   4.44789   1.959060   17.47    0.6599     32.379     56.916
58     -221.76716   5.99981                                  31.827            
59         ∞      33.00000   1.608590   46.44    0.5664     50.000            
60         ∞      13.20000   1.516330   64.15    0.5352     50.000            
61         ∞       9.99000                                  50.000            
像面        ∞   
非球面データ
第28面
K = 0.00000e+000  A 4= 2.21810e-007  A 6= 2.77257e-010  A 8=-3.68135e-013  A10= 2.09807e-016  
【００８３】
各種データ
ズーム比     18.50 
焦点距離        7.20    31.30   133.20  
Fナンバー       1.49     1.49     1.85  
画角           37.38     9.97     2.36  
レンズ全長    567.44   567.44   567.44  
BF              9.99     9.99     9.99  
d17             5.71    79.71   112.84  
d26           150.34    62.65     4.40  
d36             2.15    15.84    40.95  
入射瞳位置    100.19   205.74   514.97  
射出瞳位置    137.02   137.02   137.02  
前側主点位置  107.80   244.75   787.85  
後側主点位置    2.79   -21.31  -123.22  
ズームレンズ群データ
群  始面    焦点距離  レンズ構成長  前側主点位置  後側主点位置
1    1     113.04       171.81       120.23         63.79
2   18     -29.50        27.03         8.08        -11.84
3   27      49.00        40.40        15.25        -11.41
4   37      35.38       160.02        48.86          8.85
単レンズデータ
レンズ  始面  焦点距離
1       1   -189.75
2       3   -233.73
3       5    525.00
4       7    358.21
5       9   -285.02
6      10    328.28
7      12    281.26
8      14    389.95
9      16    530.19
10      18   -118.02
11      20   -102.38
12      22    -72.79
13      23     51.04
14      25    -52.81
15      27    179.96
16      29   -108.60
17      30     74.77
18      32    109.23
19      33   -190.34
20      35    117.23
21      38    -24.09
22      39     42.77
23      41    -23.99
24      42     34.47
25      44   -182.93
26      46     46.80
27      48    -63.90
28      49     87.46
29      51    -33.12
30      52     49.18
31      54     45.56
32      56    -39.39
33      57     56.92
34      59      0.00
35      60      0.00
【００８４】
＜数値実施例３＞
単位 ｍｍ
面データ
面番号i     ri        di       ndi       vdi      θgFi    有効径    焦点距離
1     -485.38222   4.70000   1.696797   55.53    0.5433    180.591   -130.849
2      113.30651  40.00000                                 151.056            
3     -285.91586   4.50000   1.696797   55.53    0.5433    150.893   -295.556
4      752.54774   0.50000                                 153.340            
5      281.34719  16.00000   1.805181   25.42    0.6161    156.217    294.827
6    -1573.03876   5.14617                                 156.036            
7     -503.42550  15.00000   1.496999   81.54    0.5374    155.842    638.810
8     -196.98219   0.50000                                 155.732            
9    -4418.84783   4.40000   1.805181   25.42    0.6161    147.723   -960.500
10      948.41747  16.50000   1.496999   81.54    0.5374    145.722    470.250
11     -309.54492  32.56358                                 144.287            
12      351.29977  14.00000   1.496999   81.54    0.5374    145.867    525.803
13    -1018.38478   0.20000                                 145.995            
14      218.08186   4.40000   1.805181   25.42    0.6161    145.688   -312.499
15      116.26513   1.00000                                 140.650            
16      118.25165  31.00000   1.496999   81.54    0.5374    141.198    203.696
17     -655.53148   0.20000                                 140.916            
18      178.58431  15.00000   1.620411   60.29    0.5426    136.528    325.951
19     1435.72903    (可変)                                 135.126            
20      129.42474   1.50000   2.003300   28.27    0.5980     50.999   -147.163
21       68.83326   6.89982                                  47.888            
22     -200.59165   1.50000   1.729157   54.68    0.5444     46.396    -47.089
23       41.77592  10.45708   1.846660   23.78    0.6205     42.170     36.240
24     -106.13437   1.50000   1.729157   54.68    0.5444     40.770    -64.952
25       86.71459   6.25454                                  39.401            
26      -81.26395   1.50000   1.882997   40.76    0.5667     39.284    -67.273
27      227.62743    (可変)                                 40.215            
28      600.75417   6.75242   1.620411   60.29    0.5426     52.031    154.562
29     -114.14793   0.15000                                  52.888            
30      117.66770  11.70590   1.487490   70.23    0.5300     53.886     95.976
31      -75.55843   0.09304                                  53.701            
32      -76.87444   1.60000   1.805181   25.42    0.6161     53.604   -222.857
33     -134.82035   0.15000                                  53.923            
34       86.22575   1.60000   1.805181   25.42    0.6161     52.682   -141.089
35       48.80482  10.30397   1.487490   70.23    0.5300     50.909    101.764
36     2324.27135   0.15000                                  50.215            
37       94.55257   6.65369   1.620411   60.29    0.5426     49.212    149.795
38    -6865.35846    (可変)                                  47.888            
39        (絞り)    3.42001                                  29.993            
40      -38.17971   1.50000   1.788001   47.37    0.5559     29.719    -22.135
41       32.97449   7.10685   1.805181   25.42    0.6161     30.080     28.353
42      -69.09675   1.50000   1.788001   47.37    0.5559     30.138    -35.710
43       48.33642   5.93408                                  30.290            
44      -37.26674  19.74135   1.772499   49.60    0.5521     30.447    126.726
45      -33.28390   8.40424                                  42.000            
46      151.56649   1.50000   1.438750   94.93    0.5343     44.676    -94.778
47       32.59674  15.68076   1.487490   70.23    0.5300     44.800     47.580
48      -68.51606   3.00006                                  44.653            
49     -192.90412   1.50000   1.834000   37.16    0.5775     42.228    -43.068
50       44.64142  13.78284   1.496999   81.54    0.5374     41.238     44.671
51      -39.86282   0.19995                                  41.465            
52       51.56170   8.58591   1.496999   81.54    0.5374     36.311     53.328
53      -51.82897   1.50000   2.003300   28.27    0.5980     34.916    -32.428
54       90.68850   0.19982                                  33.453            
55       43.54590   4.99992   1.892860   20.36    0.6394     33.247     60.764
56      199.38351   7.99993                                  32.214            
57        ∞       33.00000   1.608590   46.44    0.5664     50.000            
58        ∞       13.20000   1.516330   64.15    0.5352     50.000            
59        ∞       10.00000                                  50.000            
像面       ∞   
非球面データ
第1面
K = 0.00000e+000  A 4= 6.67216e-008  A 6=-1.84999e-012  
第17面
K = 0.00000e+000  A 4=-6.62832e-009  A 6=-7.16000e-013  
【００８５】
各種データ
ズーム比     27.00 
焦点距離        6.70    28.66   180.90  
Fナンバー       1.50     1.50     2.20  
画角           39.38    10.86     1.74  
レンズ全長    615.87   615.87   615.87  
BF             10.00    10.00    10.00  
d19             3.93    83.93   126.22  
d27           173.50    80.45     4.47  
d38             1.30    14.35    48.04  
入射瞳位置    100.86   210.94   790.55  
射出瞳位置    295.76   295.76   295.76  
前側主点位置  107.71   242.48  1085.97  
後側主点位置    3.30   -18.66  -170.90  
ズームレンズ群データ
群  始面    焦点距離  レンズ構成長  前側主点位置  後側主点位置
1    1     120.59       205.61       124.01         72.73
2   20     -30.00        29.61        13.79         -6.53
3   28      50.00        39.16        11.50        -15.21
4   39      39.54       152.76        45.84          8.35
単レンズデータ
レンズ  始面  焦点距離
1       1   -130.85
2       3   -295.56
3       5    294.83
4       7    638.81
5       9   -960.50
6      10    470.25
7      12    525.80
8      14   -312.50
9      16    203.70
10      18    325.95
11      20   -147.16
12      22    -47.09
13      23     36.24
14      24    -64.95
15      26    -67.27
16      28    154.56
17      30     95.98
18      32   -222.86
19      34   -141.09
20      35    101.76
21      37    149.80
22      40    -22.13
23      41     28.35
24      42    -35.71
25      44    126.73
26      46    -94.78
27      47     47.58
28      49    -43.07
29      50     44.67
30      52     53.33
31      53    -32.43
32      55     60.76
33      57      0.00
34      58      0.00
【００８６】
＜数値実施例４＞
単位 ｍｍ
面番号i     ri        di       ndi       vdi      θgFi    有効径    焦点距離
1     -440.22897   4.70000   1.696797   55.53    0.5433    180.375   -127.183
2      112.04418  40.00000                                 150.619            
3     -290.93624   4.50000   1.696797   55.53    0.5433    150.492   -328.837
4     1107.79073   0.50000                                 152.994            
5      286.63437  16.00000   1.805181   25.42    0.6161    156.054    294.040
6    -1400.36797   5.14617                                 155.854            
7     -483.88500  15.00000   1.496999   81.54    0.5374    155.637    638.275
8     -193.92640   0.50000                                 155.478            
9    -5498.81772   4.40000   1.805181   25.42    0.6161    146.844   -815.958
10      754.27299  16.50000   1.496999   81.54    0.5374    144.559    462.274
11     -329.36315  32.56358                                 143.059            
12      356.94787  14.00000   1.496999   81.54    0.5374    146.272    542.918
13    -1104.35926   0.20000                                 146.410            
14      209.94138   4.40000   1.805181   25.42    0.6161    146.184   -321.699
15      115.34188   1.00000                                 141.042            
16      117.26966  31.00000   1.496999   81.54    0.5374    141.592    204.610
17     -713.86206   0.20000                                 141.279            
18      188.31037  15.00000   1.620411   60.29    0.5426    137.101    327.654
19     2361.93048    (可変)                                 135.734            
20      129.42474   1.50000   2.003300   28.27    0.5980     50.781   -147.163
21       68.83326   6.89982                                  47.703            
22     -200.59165   1.50000   1.729157   54.68    0.5444     46.167    -47.089
23       41.77592  10.45708   1.846660   23.78    0.6205     41.999     36.240
24     -106.13437   1.50000   1.729157   54.68    0.5444     40.829    -64.952
25       86.71459   6.25454                                  39.455            
26      -81.26395   1.50000   1.882997   40.76    0.5667     39.340    -67.273
27      227.62743    (可変)                                  40.275            
28      600.75417   6.75242   1.620411   60.29    0.5426     52.033    154.562
29     -114.14793   0.15000                                  52.890            
30      117.66770  11.70590   1.487490   70.23    0.5300     53.888     95.976
31      -75.55843   0.09304                                  53.703            
32      -76.87444   1.60000   1.805181   25.42    0.6161     53.606   -222.857
33     -134.82035   0.15000                                  53.925            
34       86.22575   1.60000   1.805181   25.42    0.6161     52.684   -141.089
35       48.80482  10.30397   1.487490   70.23    0.5300     50.911    101.764
36     2324.27135   0.15000                                  50.217            
37       94.55257   6.65369   1.620411   60.29    0.5426     49.214    149.795
38    -6865.35846    (可変)                                  47.890            
39        (絞り)    3.42001                                  29.994            
40      -55.36567   1.50000   1.788001   47.37    0.5559     29.002    -21.168
41       24.33186   7.10685   1.805181   25.42    0.6161     28.219     25.608
42     -124.95653   1.50000   1.788001   47.37    0.5559     28.014    -51.812
43       61.41922   5.93408                                  27.563            
44      -41.43666  19.74135   1.772499   49.60    0.5521     27.867    179.504
45      -38.58789   8.40424                                  34.957            
46      -42.31091   1.50000   1.438750   94.93    0.5343     34.352    -46.587
47       40.16666  10.68125   1.487490   70.23    0.5300     36.453     49.515
48      -55.67816   3.00005                                  37.010            
49     -131.46384   1.50000   2.003300   28.27    0.5980     36.627    -41.818
50       62.74059   8.25747   1.496999   81.54    0.5374     37.201     60.783
51      -56.02556   0.19998                                  37.975            
52       82.65180   7.00000   1.496999   81.54    0.5374     39.111     79.168
53      -73.38959   0.19995                                  39.041            
54       62.59466   7.39287   1.496999   81.54    0.5374     37.120     66.687
55      -68.09581   0.99997                                  36.202            
56      -68.09367   1.50000   2.003300   28.27    0.5980     34.927    -41.965
57      114.01218   4.99990   1.892860   20.36    0.6394     34.023     58.278
58      -95.73233   7.99996                                  33.639            
59        ∞       33.00000   1.608590   46.44    0.5664     50.000            
60        ∞       13.20000   1.516330   64.15    0.5352     50.000            
61        ∞       10.00000                                  50.000            
像面       ∞   
非球面データ
第1面
K = 0.00000e+000  A 4= 7.06783e-008  A 6=-1.84896e-012  
第17面
K = 0.00000e+000  A 4=-3.52025e-009  A 6=-7.90243e-013  
【００８７】
各種データ
ズーム比     27.00 
焦点距離        6.70    28.66   180.90  
Fナンバー       1.50     1.50     2.20  
画角           39.38    10.86     1.74  
レンズ全長    612.15   612.15   612.15  
BF             10.00    10.00    10.00  
d19             3.93    83.93   126.22  
d27           173.50    80.45     4.47  
d38             1.30    14.35    48.04  
入射瞳位置    100.45   210.54   790.15  
射出瞳位置    136.82   136.82   136.82  
前側主点位置  107.50   245.68  1229.09  
後側主点位置    3.30   -18.66  -170.90  
ズームレンズ群データ
群  始面    焦点距離  レンズ構成長  前側主点位置  後側主点位置
1    1     120.59       205.61       123.61         72.73
2   20     -30.00        29.61        13.79         -6.53
3   28      50.00        39.16        11.50        -15.21
4   39      33.90       149.04        46.09          8.59
単レンズデータ
レンズ  始面  焦点距離
1       1   -127.18
2       3   -328.84
3       5    294.04
4       7    638.27
5       9   -815.96
6      10    462.27
7      12    542.92
8      14   -321.70
9      16    204.61
10      18    327.65
11      20   -147.16
12      22    -47.09
13      23     36.24
14      24    -64.95
15      26    -67.27
16      28    154.56
17      30     95.98
18      32   -222.86
19      34   -141.09
20      35    101.76
21      37    149.80
22      40    -21.17
23      41     25.61
24      42    -51.81
25      44    179.50
26      46    -46.59
27      47     49.52
28      49    -41.82
29      50     60.78
30      52     79.17
31      54     66.69
32      56    -41.97
33      57     58.28
34      59      0.00
35      60      0.00
【００８８】
＜数値実施例５＞
単位 ｍｍ
面番号i     ri        di       ndi       vdi      θgFi    有効径    焦点距離
1      877.24369   4.70000   1.772499   49.60    0.5521    188.768   -225.918
2      145.80289  36.34541                                 164.830            
3     -397.74896   4.50000   1.772499   49.60    0.5521    163.269   -368.961
4     1027.98290   0.15000                                 160.669            
5      308.33157   9.27710   1.717362   29.51    0.5985    159.434    782.933
6      668.53212  10.00001                                 158.321            
7   -10551.07566  14.00000   1.496999   81.54    0.5374    156.434    579.881
8     -281.46140   0.20000                                 155.624            
9     1654.38820   4.40000   1.805177   25.43    0.6100    146.418   -394.800
10      268.40029  15.00000   1.496999   81.54    0.5374    141.236    407.632
11     -820.70331  45.87617                                 140.223            
12      501.84075  17.07760   1.496999   81.54    0.5374    141.236    364.712
13     -281.82662   0.15000                                 141.701            
14      435.71939  12.43394   1.496999   81.54    0.5374    141.287    535.323
15     -681.89100   0.15000                                140.903            
16      333.86623   8.63668   1.620411   60.29    0.5426    137.624    681.683
17     1546.90558    (可変)                                 136.595            
18      557.31952   1.50000   1.772499   49.60    0.5521     65.420   -145.225
19       93.65058   5.64201                                  60.712            
20      380.31375   1.50000   1.729157   54.68    0.5444     58.888    -52.570
21       34.90149  10.45708   1.846660   23.78    0.6205     51.443     58.299
22      100.32525   6.11000                                  49.794            
23     -158.09307   1.50000   1.772499   49.60    0.5521     48.810    -71.737
24       86.31576    (可変)                                  46.671            
25      366.08020   6.25242   1.620411   60.29    0.5426     57.458    178.541
26     -158.68138   0.15000                                  58.299            
27      119.15657  11.10590   1.487490   70.23    0.5300     60.531    105.271
28      -87.90339   0.09304                                  60.606            
29      -94.64110   1.60000   1.805181   25.42    0.6161     60.443   -174.601
30     -286.37171    (可変)                                  61.116            
31       89.05906   1.60000   1.805181   25.42    0.6161     61.715   -207.964
32       57.85400   9.30397   1.487490   70.23    0.5300     60.400    134.476
33      454.84517   0.15000                                  60.233            
34       88.45112   7.65369   1.620411   60.29    0.5426     59.924    123.115
35     -557.28865    (可変)                                  59.385            
36        (絞り)    2.98000                                  28.585            
37      -89.27227   1.40000   1.788001   47.37    0.5559     27.499    -23.061
38       23.11948   7.30654   1.854780   24.80    0.6122     26.430     20.552
39      -64.99022   1.40000   1.788001   47.37    0.5559     26.051    -41.171
40       66.05871   5.93408                                  25.143            
41      -39.36946  19.74135   1.772499   49.60    0.5521     24.847    -39.881
42      176.58873   8.40424                                  29.932            
43     -106.17776   1.50000   1.537750   74.70    0.5393     33.522   -116.177
44      153.72070   8.68179   1.639999   60.08    0.5370     35.342     49.193
45      -38.91069   3.00000                                  36.651            
46     -461.64319   1.50000   2.001000   29.13    0.5997     36.905    -50.646
47       57.56456   8.46262   1.516330   64.14    0.5352     37.191     67.161
48      -83.61912   3.00000                                  38.168            
49       79.54050   7.00000   1.496999   81.54    0.5374     39.923     82.383
50      -82.40466   0.19995                                  39.874            
51       43.55594   8.67440   1.438750   94.93    0.5343     37.828     64.722
52      -77.18275   0.99997                                  36.784            
53      -81.80018   1.50000   2.000690   25.46    0.6133     35.422    -44.345
54       99.89267   4.99998   1.858956   22.73    0.6284     34.328     61.707
55     -112.74908   7.99998                                  33.853            
56         ∞      33.00000   1.608590   46.44    0.5664     50.000            
57         ∞      13.20000   1.516330   64.15    0.5352     50.000            
58         ∞      10.00000                                  50.000            
像面        ∞   
非球面データ
第18面
K = 0.00000e+000  A 4= 1.42605e-007  A 6= 2.72184e-010  A 8=-1.47447e-013  A10=-1.75562e-017  A12= 7.58723e-021  
第34面
K = 0.00000e+000  A 4=-2.09140e-008  A 6=-8.15958e-010  A 8= 1.42889e-012  A10=-1.20145e-015  A12= 3.78681e-019  
【００８９】
各種データ
ズーム比     30.00 
焦点距離        6.50    35.00   195.00  
Fナンバー       1.49     1.49     2.20  
画角           40.24     8.93     1.62  
レンズ全長    625.00   625.00   625.00  
BF             10.00    10.00    10.00  
d17             3.00    97.71   208.81  
d24           211.60    62.23     5.79  
d30             1.00    30.72     1.00  
d35             1.00    25.94     1.00  
入射瞳位置    117.29   233.78   1205.68  
射出瞳位置     89.93    89.93     89.93  
前側主点位置  124.32   284.11   1876.39  
後側主点位置    3.50   -25.00   -185.00  
ズームレンズ群データ
群  始面    焦点距離  レンズ構成長  前側主点位置  後側主点位置
1    1     175.52       182.90       151.57         93.14
2   18     -38.87        26.71        13.88         -4.82
3   25     105.30        19.20         3.32         -9.16
4   31      96.20        18.71         5.01         -7.21
5   36      29.58       150.88        45.29          4.69
単レンズデータ
レンズ  始面  焦点距離
1       1   -225.92
2       3   -368.96
3       5    782.93
4       7    579.88
5       9   -394.80
6      10    407.63
7      12    364.71
8      14    535.32
9      16    681.68
10      18   -145.23
11      20    -52.57
12      21     58.30
13      23    -71.74
14      25    178.54
15      27    105.27
16      29   -174.60
17      31   -207.96
18      32    134.48
19      34    123.12
20      37    -23.06
21      38     20.55
22      39    -41.17
23      41    -39.88
24      43   -116.18
25      44     49.19
26      46    -50.65
27      47     67.16
28      49     82.38
29      51     64.72
30      53    -44.35
31      54     61.71
32      56      0.00
33      57      0.00
【００９０】
＜数値実施例６＞
単位 ｍｍ
面データ
面番号i     ri        di       ndi       vdi      θgFi    有効径    焦点距離
1      974.84360   4.70000   1.772499   49.60    0.5520    177.304   -199.664
2      133.43977  36.34541                                 153.923            
3     -281.22498   4.50000   1.772499   49.60    0.5520    153.144   -353.535
4    11413.89998   0.15000                                 152.142            
5      302.28968   9.27710   1.717362   29.51    0.5985    151.142    639.608
6      861.40309   9.51874                                 150.324            
7    -2290.83947  14.00000   1.496999   81.54    0.5375    148.565    615.485
8     -271.10824   0.20000                                 147.524            
9     1058.56920   4.40000   1.805177   25.43    0.6100    139.279   -412.584
10      254.15956  15.00000   1.496999   81.54    0.5375    134.707    371.101
11     -666.21827  38.21442                                 133.741            
12      604.60823  17.07760   1.496999   81.54    0.5375    142.102    377.956
13     -271.09727   0.15000                                 142.661            
14      482.85910  12.43394   1.496999   81.54    0.5375    142.385    543.416
15     -611.68123   0.15000                                 142.049            
16      338.09700   8.63668   1.620411   60.29    0.5427    138.746    692.731
17     1546.90558    (可変)                                 137.740            
18      557.31952   1.50000   1.772499   49.60    0.5520     66.070   -176.324
19      109.75081   5.64201                                  61.994            
20      768.81403   1.50000   1.729157   54.68    0.5444     60.098    -46.066
21       32.29105  10.45708   1.846660   23.78    0.6205     51.678     62.338
22       69.69177   6.11000                                  50.112            
23     -696.16905   1.50000   1.772499   49.60    0.5520     49.438    -95.365
24       82.90865    (可変)                                 47.653            
25      385.82840   6.00000   1.620411   60.29    0.5427     59.836    259.807
26     -277.06577   0.15000                                  60.863            
27      108.72577  10.00000   1.487490   70.23    0.5300     63.423    178.145
28     -425.62953   1.60000   1.805181   25.42    0.6161     63.626   -448.238
29     2530.42858    (可変)                                  63.828            
30      103.70230   1.60000   1.805181   25.42    0.6161     64.684   -221.107
31       65.29826  10.00000   1.487490   70.23    0.5300     63.676    134.937
32     5798.07780   0.15000                                  63.633            
33       93.38162   8.00000   1.620411   60.29    0.5427     63.471    129.015
34     -557.28865    (可変)                                  62.991            
35        (絞り)    2.98000                                  30.591            
36     -148.03323   1.40000   1.595220   67.74    0.5442     29.434    -24.719
37       16.45867   7.30654   1.720467   34.71    0.5834     27.226     29.934
38       55.31570   5.93408                                  26.533            
39      -41.31466  19.74135   1.772499   49.60    0.5520     25.765    -33.293
40       83.41322   8.40424                                  28.123            
41      -72.77815   1.50000   1.854780   24.80    0.6122     30.730    -56.644
42      150.25859   8.27629   1.639999   60.08    0.5370     32.546     46.268
43      -36.26345   0.19994                                  34.247            
44       56.44426   7.00000   1.496999   81.54    0.5375     36.032     67.641
45      -80.27829   0.50000                                  35.895            
46      217.50568   7.16945   1.438750   94.93    0.5340     34.791     68.660
47      -34.71676   1.50000   2.000690   25.46    0.6133     34.231    -50.204
48     -112.49315   0.50000                                  34.812            
49      132.89691   4.99978   1.858956   22.73    0.6284     34.619     60.004
50      -84.12848   7.99972                                  34.290            
51         ∞      33.00000   1.608590   46.44    0.5664     50.000            
52         ∞      13.20000   1.516330   64.15    0.5352     50.000            
53         ∞      10.00000                                  50.000            
像面        ∞
非球面データ
第18面
K = 0.00000e+000  A 4= 7.32328e-008  A 6= 2.55348e-010  A 8=-1.25818e-013  A10=-2.35007e-017  A12= 7.95065e-021  
第34面
K = 0.00000e+000  A 4=-1.03812e-007  A 6=-5.19338e-010  A 8= 7.28916e-013  A10=-5.02921e-016  A12= 1.29244e-019  
【００９１】
各種データ
ズーム比     30.00 
焦点距離        6.50    35.00   195.00  
Fナンバー       1.50     1.50     2.20  
画角           40.24     8.93     1.62  
レンズ全長    625.00   625.00   625.00  
BF             10.00    10.00    10.00  
d17             3.00   103.25   225.03  
d24           228.49    65.09     6.46  
d30             1.00    34.58     1.00  
d35             1.00    30.57     1.00  
入射瞳位置     111.97   228.97   1201.77  
射出瞳位置      58.57    58.57     58.57  
前側主点位置   119.34   289.19   2179.59  
後側主点位置     3.50   -25.00   -185.00  
ズームレンズ群データ
群  始面    焦点距離  レンズ構成長  前側主点位置  後側主点位置
1    1     185.75       174.71       151.13        102.84
2   18     -41.93        26.71        13.98         -4.97
3   25     124.66        17.84         2.62         -8.90
4   31      98.22        19.75         5.00         -7.93
5   36      26.03       142.50        49.72          3.95
単レンズデータ
レンズ  始面  焦点距離
1       1   -211.09
2       3   -312.29
3       5    642.62
4       7    649.37
5       9   -425.39
6      10    375.20
7      12    371.89
8      14    547.28
9      16    698.98
10      18   -187.29
11      20    -50.53
12      21     65.25
13      23    -90.13
14      25    230.20
15      27    133.42
16      29   -255.05
17      31   -243.19
18      32    141.65
19      34    131.37
20      37    -25.38
21      38     27.33
22      40    -31.81
23      42    -31.44
24      43     48.95
25      45    -42.58
26      46     53.09
27      48     64.88
28      50     51.26
29      51    -58.13
30      53     62.93
31      55      0.00
32      56      0.00
【００９２】
【表１】
0006711666.tif 000003
【符号の説明】
【００９３】
Ｕ１      第１レンズ群
Ｕ２      第２レンズ群
Ｕ３      第３レンズ群
Ｕ４      第４レンズ群
ＳＰ      開口絞り
ＩＰ      像面
【図１】
0006711666.tif 000004
【図２】
0006711666.tif 000005
【図３】
0006711666.tif 000006
【図４】
0006711666.tif 000007
【図５】
0006711666.tif 000008
【図６】
0006711666.tif 000009
【図７】
0006711666.tif 000010
【図８】
0006711666.tif 000011
【図９】
0006711666.tif 000012
【図１０】
0006711666.tif 000013
【図１１】
0006711666.tif 000014
【図１２】
0006711666.tif 000015
【図１３】
0006711666.tif 000016
【図１４】
0006711666.tif 000017